(57)【要約】      （修正有）【課題】電子製品に充電するとき、コンセントと電子製品との間の距離を延長できる電源転換線を提供する。【解決手段】電源転換線１００は導線１、第一端転換プラグ２、第二端転換プラグ３を備え、第一端転換プラグ２は転換プラグ本体、及び転換プラグ本体一端より延伸する電極端子アダプターを備え、第一端転換プラグ２本体には固定槽を設置し、しかも固定槽一端は開放性の開口で、電極端子アダプターは固定槽の開放性開口の下方に位置し、第二端転換プラグ３は対応接続槽を開設し、こうして第一接触面、及び第二接触面を形成し、第一接触面は内部へと陥没して、電極端子コンセントを形成し、第二接触面の一部は、端子台を突出状に形成し、第一端転換プラグ２と第二端転換プラグ３は、それぞれ導線１の両端に連接する。【選択図】図１
0003153239.tif 000002
【実用新案登録請求の範囲】
【請求項１】
電源ロータリージョイントと充電器を連接することができ、
導線、第一端転換プラグ、第二端転換プラグを備え、
前記第一端転換プラグは、転換プラグ本体、及び前記転換プラグ本体一端より延伸する電極端子アダプターを備え、
前記第一端転換プラグ本体には、固定槽を設置し、しかも前記固定槽一端は、開放性の開口で、前記電極端子アダプターは、前記固定槽の開放性開口の下方に位置し、
前記第二端転換プラグは、対応接続槽を開設し、こうして第一接触面、及び第二接触面を形成し、前記第一接触面は内部へと陥没して、電極端子コンセントを形成し、前記第二接触面の一部は、端子台を突出状に形成し、
前記第一端転換プラグと前記第二端転換プラグは、それぞれ前記導線の両端に連接することを特徴とする電源転換線。
【請求項２】
前記固定槽は、第一側壁、第二側壁を備え、前記第一側壁と前記第二側壁には共に、金属弾力片を固定することを特徴とする請求項１に記載の電源転換線。
【請求項３】
前記第一端転換プラグは、凡そ凸字型を呈することを特徴とする請求項２に記載の電源転換線。
【請求項４】
前記突出状の端子台の断面は、凡そ逆凸字型を呈することを特徴とする請求項３に記載の電源転換線。
【考案の詳細な説明】
【技術分野】
【０００１】
本考案は転換線に関し、特に電源転換線に関する。
【背景技術】
【０００２】
携帯電話端末、MP3、デジカメなど3C電子製品(通信製品、コンピューター、情報製品)は、広く応用されるようになっている。
3C電子製品は、対応する充電器により充電される。
3C電子製品に対して充電を行なう時には、充電器をコンセントに挿入して設置し、充電器の一端は、3C電子製品に連接する。
【０００３】
しかし、コンセントは壁に固定されていることが多いため、充電器を用いて、3C電子製品に充電を行なう時に、もし3C電子製品が充電器に従い壁からぶら下がるような状態になれば、3C電子製品は落下により損壊する恐れがある。
また、コンセントと床面の距離が比較的近ければ、3C電子製品は床面に置くことになるが、これにより傷がつき易い。
【考案の概要】
【考案が解決しようとする課題】
【０００４】
本考案が解決しようとする課題は、電子製品に傷をつけることがなく、損壊の恐れもない電源転換線を提供することである。
【課題を解決するための手段】
【０００５】
上記課題を解決するため、本考案は下記の電源転換線を提供する。
電源転換線は、電源ロータリージョイントと充電器を連接することができ、
電源転換線は、導線、第一端転換プラグ、第二端転換プラグを備え、
該第一端転換プラグは、転換プラグ本体、及び該転換プラグ本体一端より延伸する電極端子アダプターを備え、
該第一端転換プラグ本体には、固定槽を設置し、しかも該固定槽一端は、開放性の開口で、該電極端子アダプターは、該固定槽の開放性開口の下方に位置し、
該第二端転換プラグは、対応接続槽を開設し、こうして第一接触面、及び第二接触面を形成し、該第一接触面は内部へと陥没して、電極端子コンセントを形成し、該第二接触面の一部は、端子台を突出状に形成し、
該第一端転換プラグと該第二端転換プラグは、それぞれ該導線の両端に連接する。
【考案の効果】
【０００６】
本考案電源転換線は、充電器が電子製品に対して充電を行なう時、コンセントと電子製品との間の距離を延長することができるため、電子製品を安全な位置に置くことができる。これにより、電子製品の損壊や、傷がつく恐れを払拭することができる。
【図面の簡単な説明】
【０００７】
【図１】本考案電源転換線の実施例の立体図である。
【図２】図１に示す電源転換線の第一端転換プラグの立体図である。
【図３】図１に示す電源転換線の第二端転換プラグの立体図である。
【図４】図１に示す電源転換線充電器の立体図である。
【図５】図１に示す電源転換線が対応して接続する電源転換プラグの立体図である。
【考案を実施するための形態】
【０００８】
以下に図面を参照しながら本考案を実施するための形態について詳細に説明する。
【０００９】
図１、２に示すように、本考案電源転換線１００は、導線１、第一端転換プラグ２、第二端転換プラグ３を備える。
第一端転換プラグ２は、凡そ凸字型を呈し、プラスチック材質により製造する転換プラグ本体２１、及び転換プラグ本体２１一端より延伸する電極端子アダプター２２を備える。
第一端転換プラグ本体２１は、側面２１１、及び側面２１１に続く上表面２１２を備える。
【００１０】
引き続き図２に示すように、上表面２１２は、下方へと窪んで、側面２１１を貫通する固定槽２１３を形成する。
固定槽２１３は、凡そ長方形を呈し、固定槽２１３一端は、開放性の開口である。
固定槽２１３は、底壁２１３１、及び底壁２１３１に続き、底壁２１３１左右両側に位置する第一側壁２１３２、第二側壁２１３３を備える。
第一側壁２１３２と第二側壁２１３３には共に、金属弾力片２１４を固定する。
【００１１】
電極端子アダプター２２は、側面２１１から外側へと延伸して形成し、固定槽２１３の片側下方に位置する。
電極端子アダプター２２は、相互に隣接する円形の２個の対応接続孔２２１を開設する。
各対応接続孔２２１内には、導線１に電気的に連接する導体(図示なし)を設置する。
【００１２】
図１、３に示すように、第二端転換プラグ３は、絶縁本体３１を備える。
絶縁本体３１の一端には、凡そＬ字型を呈する対応接続槽３２を開設する。
こうして第一接触面３２１、及び第一接触面３２１に続く第二接触面３２２を形成する。
第一接触面３２１は内部へと陥没して、電極端子コンセント３３を形成する。
電極端子コンセント３３内には、相互に隣接する２個の電極端子３４を固定する。
各電極端子３４は、導線１に電気的に連接する。
第二接触面３２２は、断面が凡そ逆凸字型を呈する端子台３５を突出状に形成する。
【００１３】
図４、５は、本考案の電源転換線１００が対応して接続する充電器４、電源ロータリージョイント５の立体図で、しかもそれは携帯電話の充電に用いる。
充電器４は、対応接続台４１を設置し、電源ロータリージョイント５は、対応接続ヘッド５１を設置する。
本考案電源転換線１００を使用する時には、第一端転換プラグ２と、充電器４の対応接続台４１を挿入接続し、第二端転換プラグ３と、電源ロータリージョイント５の対応接続ヘッド５１を挿入接続する。
さらに、電源ロータリージョイント５と充電器４により、それぞれコンセント及び携帯電話に挿入接続する。
こうして、携帯電話への充電を実現することができる。
【００１４】
金属弾力片２１４は、相互に接続する対応接続台４１に挿入して、挿入を緊密にし、抜け難くする。
端子台３５は、第二端転換プラグ３と相互に対応して接続する電源ロータリージョイント５を固定し、こうして信号は安定的に伝送される。
【００１５】
上記したように、本考案電源転換線１００は、充電器４と、コンセントに挿入設置する電源ロータリージョイント５との間を連接することができる。
こうして、充電器４が電子製品に対して充電を行なう時、コンセントと電子製品との間の距離を延長することができるため、電子製品を安全な位置に置くことができる。
これにより、電子製品の損壊や、傷がつく恐れを払拭することができる。
【符号の説明】
【００１６】
１００  電源転換線
１  導線
２  第一端転換プラグ
２１  転換プラグ本体
２１１  側面
２１２  上表面
２１３  固定槽
２１３１  底壁
２１３２  第一側壁
２１３３  第二側壁
２１４  金属弾力片
２２  電極端子アダプター
２２１  対応接続孔
３  第二端転換プラグ
３１  絶縁本体
３２  対応接続槽
３２１  第一接触面
３２２  第二接触面
３３  電極端子コンセント
３４  電極端子
３５  端子台
４  充電器
４１  対応接続台
５  電源ロータリージョイント
５１  対応接続ヘッド
【図１】
0003153239.tif 000003
【図２】
0003153239.tif 000004
【図３】
0003153239.tif 000005
【図４】
0003153239.tif 000006
【図５】
0003153239.tif 000007